(57)【要約】  洗濯機のダンパーであって、本体（３）及び制振部材を含み、制振部材が本体（３）に対し変形することで減衰力を付与する制振ユニットと、一端が制振部材に接続される第１懸架ロッド（１）、を含み、更に、一端が本体（３）に接続される第２懸架ロッド（２）を含み、前記第１懸架ロッド（１）の他端が洗濯機の筐体（７）に組み付けられ、第２懸架ロッド（２）の他端が洗濯機の外槽（８）に組み付けられる。更に、上記のダンパーが配置された洗濯機に関する。当該洗濯機は、更に、洗濯機の筐体（７）と洗濯機の外槽（８）を少なくとも含む。前記洗濯機の筐体（７）には、前記第１懸架ロッド（１）と係合する装着構造が設けられており、第１懸架ロッド（１）に接続される。前記洗濯機の外槽（８）には、前記第２懸架ロッド（２）と係合する装着構造が設けられており、第２懸架ロッド（２）に接続される。前記ダンパーは、空間に対する占有が小さく、洗濯機の内部構造と衝突しにくいため、洗濯過程での騒音が低減する。【選択図】図１
2020506738.tif 000002
【特許請求の範囲】
【請求項１】
本体及び制振部材を含み、制振部材が本体に対し変形することで減衰力を付与する制振ユニットと、一端が制振部材に接続される第１懸架ロッド、を含む洗濯機のダンパーであって、
更に、一端が本体に接続される第２懸架ロッドを含み、
前記第１懸架ロッドの他端が洗濯機の筐体に接続され、第２懸架ロッドの他端が洗濯機の外槽に接続される、または、
前記第１懸架ロッドの他端が洗濯機の外槽に接続され、第２懸架ロッドの他端が洗濯機の筐体に接続される、ことを特徴とする洗濯機のダンパー。
【請求項２】
前記制振部材は本体内に設けられ、前記第１懸架ロッドは本体内に伸入して制振部材に接続され、
第１懸架ロッドは第２懸架ロッドに対し軸方向に移動可能に設けられ、且つ、移動時に前記制振部材を変形させることを特徴とする請求項１に記載の洗濯機のダンパー。
【請求項３】
前記制振部材は、
一端が本体の内部における一端に当接する制振バネと、
制振バネの他端に設けられて制振バネと接触するバネ座と、
バネ座のうち制振バネとは反対の側に設けられ、本体に対し摺動するよう係合する減衰ユニットと、を含み、
前記第１懸架ロッドは、制振バネ、バネ座及び減衰ユニットに対し順に挿通され、且つ、第１懸架ロッドの端部には、制振バネの作用による減衰ユニットの抜け落ちを防止するための位置決め構造が設けられていることを特徴とする請求項１又は２に記載の洗濯機のダンパー。
【請求項４】
前記減衰ユニットは、減衰材支持ベース、減衰材支持ベースに嵌装される減衰材及びゴムパッドを含み、前記減衰材支持ベースにはフックが設けられており、前記フックは、減衰材とゴムパッドに挿通されて前記バネ座に係接及び係合することで、減衰材とゴムパッドを減衰材支持ベースとバネ座の間に規制し、前記減衰材の外周面と本体の内壁は、これらが相対運動する際に摩擦抵抗を生じるよう接触していることを特徴とする請求項３に記載の洗濯機のダンパー。
【請求項５】
前記減衰材支持ベースの中心には貫通孔が設けられており、前記第１懸架ロッドが前記貫通孔に挿通され、且つ、第１懸架ロッドのうち本体内に位置する一端には径方向に延伸する突起が設けられており、前記突起は、第１懸架ロッドが前記貫通孔内に係合されるよう、減衰材支持ベースのうちバネ座とは反対の側に係合することを特徴とする請求項４に記載の洗濯機のダンパー。
【請求項６】
前記フックは複数とし、前記バネ座には、前記フックと係合する貫通孔が設けられており、前記フックはバネ座の貫通孔に挿通されて、バネ座のうち減衰材支持ベースとは反対の側に係合することを特徴とする請求項４に記載の洗濯機のダンパー。
【請求項７】
前記本体は、外装管と、外装管の両端に固設される第１固定ベース及び第２固定ベースを含み、これに応じて、前記第１固定ベースと第２固定ベースには、第１懸架ロッドと第２懸架ロッドを挿通するための貫通孔が設けられており、且つ、第１懸架ロッドは第１固定ベースに対し摺動するよう係合し、第２懸架ロッドは第２固定ベースに対し相対的に固定され、
好ましくは、前記第１固定ベースと第２固定ベースは、転圧リベット接合で外装管の両端に固定接続されることを特徴とする請求項２に記載の洗濯機のダンパー。
【請求項８】
前記第２懸架ロッドのうち本体内に位置する一端には、径方向に延伸する突起が設けられており、前記突起は、第２懸架ロッドを下方の固定ベースの貫通孔内に係合するよう、第２固定ベースのうち外装管内に位置する側に係合することを特徴とする請求項７に記載の洗濯機のダンパー。
【請求項９】
請求項１〜８のいずれか１項に記載のダンパーが配置されるとともに、更に、洗濯機の筐体と洗濯機の外槽を少なくとも含む洗濯機において、
前記洗濯機の筐体には、前記第１懸架ロッドと係合する装着構造が設けられて第１懸架ロッドに接続され、前記洗濯機の外槽の底部における円周側には、前記第２懸架ロッドと係合する装着構造が設けられて第２懸架ロッドに接続され、
或いは、前記洗濯機の筐体には、前記第２懸架ロッドと係合する装着構造が設けられて第２懸架ロッドに接続され、前記洗濯機の外槽の底部における円周側には、前記第１懸架ロッドと係合する装着構造が設けられて第１懸架ロッドに接続されることを特徴とする洗濯機。
【請求項１０】
前記第１懸架ロッド及び第２懸架ロッドにおける制振ユニットから離間する一端はフック状構造となっており、前記洗濯機の筐体と洗濯機の外槽には、前記フック状構造と係合する係合孔が設けられていることを特徴とする請求項９に記載の洗濯機。
【発明の詳細な説明】
【技術分野】
【０００１】
本発明は洗濯機器に関し、特に、洗濯機のダンパー及び当該ダンパーが装着された洗濯機に関する。
【背景技術】
【０００２】
従来のパルセータ洗濯機の制振ユニットは、主に、懸架ロッドとダンパーを含む。懸架ロッドの一端は洗濯機の筐体に接続され、ダンパーは洗濯機の外槽の懸架ベースに懸架される。ダンパーは体積比がやや大きいため、洗濯機の外槽底部の外側において大きなスペースを占有する。且つ、ダンパーの装着に対応するために、洗濯機の外槽底部は体積が大きめとなっている。また、洗濯機の脱水起動運転時には、モータの起動に伴って、洗濯機の外槽にぐらつきや揺動が生じ、振幅が大きくなることがある。このとき、ダンパーが外槽の底部と干渉し、異常な振動や騒音が発生するため、使用体験に支障が生じる。
【０００３】
以上に鑑みて、本発明を提案する。
【発明の概要】
【発明が解決しようとする課題】
【０００４】
本発明は、従来技術の瑕疵を解消し、洗濯機の内部空間に対する占有が小さく、洗濯機の運転時における騒音が低減する洗濯機のダンパーを提供することを目的とする。
【０００５】
また、本発明は、上記のダンパーが装着された洗濯機を提供することを他の目的とする。
【課題を解決するための手段】
【０００６】
第一の目的を実現するために、本発明は以下の技術方案を用いる。
【０００７】
洗濯機のダンパーであって、本体及び制振部材を含み、制振部材が本体に対し変形することで減衰力を付与する制振ユニットと、一端が制振部材に接続される第１懸架ロッド、を含み、更に、一端が本体に接続される第２懸架ロッドを含み、前記第１懸架ロッドの他端が洗濯機の筐体に接続され、第２懸架ロッドの他端が洗濯機の外槽に接続されるか、前記第１懸架ロッドの他端が洗濯機の外槽に接続され、第２懸架ロッドの他端が洗濯機の筐体に接続される。
【０００８】
更に、前記制振部材は本体内に設けられ、前記第１懸架ロッドは本体内に伸入して制振部材に接続され、第１懸架ロッドは第２懸架ロッドに対し軸方向に移動可能に設けられ、且つ、移動時に前記制振部材を変形させる。
【０００９】
更に、前記制振部材は、一端が本体の内部における一端に当接する制振バネと、制振バネの他端に設けられて制振バネと接触するバネ座と、バネ座のうち制振バネとは反対の側に設けられ、本体に対し摺動するよう係合する減衰ユニット、を含み、前記第１懸架ロッドは、制振バネ、バネ座及び減衰ユニットに対し順に挿通され、且つ、第１懸架ロッドの端部には、制振バネの作用による減衰ユニットの抜け落ちを防止するための位置決め構造が設けられている。減衰ユニットは、制振バネの弾性力の作用によって、第１懸架ロッドから抜け落ちるような運動傾向を有するが、位置決め構造を設けることで、第１懸架ロッドからの減衰ユニットの抜け落ちを回避可能となる。
【００１０】
更に、前記減衰ユニットは、減衰材支持ベース、減衰材支持ベースに嵌装される減衰材及びゴムパッドを含み、前記減衰材支持ベースにはフックが設けられており、前記フックは、減衰材とゴムパッドに挿通されて前記バネ座に係接及び係合することで、減衰材とゴムパッドを減衰材支持ベースとバネ座の間に規制し、前記減衰材の外周面と本体の内壁は、これらが相対運動する際に摩擦抵抗を生じるよう接触している。
【００１１】
更に、前記減衰材支持ベースの中心には貫通孔が設けられており、前記第１懸架ロッドが前記貫通孔に挿通され、且つ、第１懸架ロッドのうち本体内に位置する一端には径方向に延伸する突起が設けられており、前記突起は、第１懸架ロッドが前記貫通孔内に係合されるよう、減衰材支持ベースのうちバネ座とは反対の側に係合する。
【００１２】
更に、前記フックは複数とし、前記バネ座には、前記フックと係合する貫通孔が設けられており、前記フックはバネ座の貫通孔に挿通されて、バネ座のうち減衰材支持ベースとは反対の側に係合する。
【００１３】
更に、前記本体は、外装管と、外装管の両端に固設される第１固定ベース及び第２固定ベースを含み、これに応じて、前記第１固定ベースと第２固定ベースには、第１懸架ロッドと第２懸架ロッドを挿通するための貫通孔が設けられており、且つ、第１懸架ロッドは第１固定ベースに対し摺動するよう係合し、第２懸架ロッドは第２固定ベースに対し相対的に固定され、好ましくは、前記第１固定ベースと第２固定ベースは、転圧リベット接合で外装管の両端に固定接続される。
【００１４】
更に、前記第２懸架ロッドのうち本体内に位置する一端には、径方向に延伸する突起が設けられており、前記突起は、第２懸架ロッドを下方の固定ベースの貫通孔内に係合するよう、第２固定ベースのうち外装管内に位置する側に係合する。
【００１５】
第二の目的を実現するために、本発明では以下の技術方案を用いる。
【００１６】
上記のダンパーが配置された洗濯機であって、当該洗濯機は、更に、洗濯機の筐体と洗濯機の外槽を少なくとも含み、前記洗濯機の筐体には、前記第１懸架ロッドと係合する装着構造が設けられて第１懸架ロッドに接続され、前記洗濯機の外槽の底部における円周側には、前記第２懸架ロッドと係合する装着構造が設けられて第２懸架ロッドに接続され、或いは、前記洗濯機の筐体には、前記第２懸架ロッドと係合する装着構造が設けられて第２懸架ロッドに接続され、前記洗濯機の外槽の底部における円周側には、前記第１懸架ロッドと係合する装着構造が設けられて第１懸架ロッドに接続される。
【００１７】
更に、前記第１懸架ロッド及び第２懸架ロッドにおける制振ユニットから離間する一端はフック状構造となっており、前記洗濯機の筐体と洗濯機の外槽には、前記フック状構造と係合する係合孔が設けられている。
【発明の効果】
【００１８】
本発明における上記技術方案を用いれば、以下の有益な効果が得られる。
【００１９】
１．本発明のダンパーは構造設計がシンプルである。制振ユニットをダンパーの中央部分に移動させることで、制振ユニットの両端を小さめの懸架ロッドのみとしているため、洗濯機の外槽においてわずかな位置を占めるにすぎない。且つ、ダンパーが洗濯機の中央位置に位置しており、洗濯機はこの部分における内部空間がやや広いことから、ダンパーの構造をより大きく設計するとともに、より長い制振バネを組み付けることが可能となる。よって、いっそう良好な制振効果が得られる。
【００２０】
２．本発明は、本体と係合する減衰材を設けることで、ダンパー全体の減衰力を増大している。よって、大容量のパルセータ洗濯機に適している。
【００２１】
３．本発明の減衰材はバネ座と減衰材支持ベースの間に装着されており、且つ、バネ座と減衰材支持ベースにはフックによる接続方式が採用されている。よって、装着が容易且つ確実となり、製造コストが抑えられるとの利点がある。
【００２２】
４．本発明によれば、洗濯機の外槽の装着スペースが節約されるため、洗濯機の外槽体積を効果的に縮小できる。よって、洗濯機の外槽設計が簡略化され、洗濯機の運転がより確実となる。
【図面の簡単な説明】
【００２３】
【図１】図１は、本発明のダンパーの縦方向の断面図である。
【図２】図２は、本発明の制振ユニットの縦方向の断面図である。
【図３】図３は、図２のＹ部分の拡大図である。
【図４】図４は、本発明の洗濯機の構造を示す図である。
【発明を実施するための形態】
【００２４】
以下に、図面を組み合わせて、本発明の具体的実施形態につき更に詳細に述べる。
【００２５】
図１に示すように、洗濯機のダンパーは、第１懸架ロッド１、第２懸架ロッド２、及び、第１懸架ロッド１と第２懸架ロッド２の間に接続される制振ユニットを含む。前記制振ユニットはダンパー全体の中央位置に位置し、第１懸架ロッド１と第２懸架ロッド２が制振ユニットの両端に配置されている。
【００２６】
前記制振ユニットは、本体３と制振部材４を含む。本体３は、前記制振部材４を収容するとともに制振部材４を支持及び保護するための収容空間を有する。前記第１懸架ロッド１の一端は制振部材４に接続され、第２懸架ロッド２の一端は本体３に接続される。第１懸架ロッド１は、本体３及び第２懸架ロッド２に対し軸方向に移動しつつ、制振部材４を本体３に対し変形させることが可能である。制振部材４に変形が生じると、これに伴って減衰力が発生する。
【００２７】
図面の組み合わせに示されるように、前記第１懸架ロッド１の他端は洗濯機の筐体７に組み付けられ、第２懸架ロッド２の他端は洗濯機の外槽８に組み付けられる。洗濯機の外槽８が振動すると、これに伴って第２懸架ロッド２が移動して、第１懸架ロッド１を第２懸架ロッド２に対し相対的に変位させる。第１懸架ロッド１と第２懸架ロッド２が相対的に移動すると、制振部材４が変形し、変形の作用によって制振部材４が振動エネルギーを吸収する。
【００２８】
洗濯機における外槽８の重力の作用によって、前記制振部材４は主に引張応力を受ける。第１懸架ロッド１と第２懸架ロッド２は、洗濯機における外槽８の重力の作用によって互いに逆方向に運動可能であり、制振部材４を圧縮させる。前記制振部材４は本体３内に設けられ、前記第１懸架ロッド１は本体３内に伸入して制振部材４に接続される。第１懸架ロッド１は、制振部材４を伴って本体３内で軸方向に移動可能である。また、洗濯機における外槽８の重力の作用によって、第２懸架ロッド２は本体３と共に移動する。
【００２９】
図２に示すように、具体的に、前記制振部材４は、本体３内に装着されて一端が本体３の内部における一端に当接する制振バネ４１と、制振バネ４１の他端に設けられて制振バネ４１と接触し、本体３内で軸方向に摺動可能なバネ座４２と、バネ座４２のうち制振バネ４１とは反対の側に設けられ、本体３に対し摺動するよう係合する減衰ユニット、を含む。
【００３０】
前記第１懸架ロッド１は、制振バネ４１、バネ座４２及び減衰ユニットに対し順に挿通される。且つ、第１懸架ロッド１の端部には、制振バネ４１の作用による減衰ユニットの抜け落ちを防止するための位置決め構造が設けられている。減衰ユニットは、制振バネ４１の弾性力の作用によって、第１懸架ロッド１から抜け落ちるような運動傾向を有するが、位置決め構造を設けることで、第１懸架ロッド１からの減衰ユニットの抜け落ちを回避可能となる。第１懸架ロッド１が移動すると、これに伴って、制振バネ４１、バネ座４２及び減衰ユニットもまた移動する。且つ、制振バネ４１は、洗濯機における外槽８の重力の作用によって圧縮状態となる。
【００３１】
図３に示されるように、具体的に、前記減衰ユニットは、減衰材支持ベース４３、減衰材支持ベース４３に嵌装される環状の減衰材４４及びゴムパッド４５を含む。前記減衰材支持ベース４３は、前記減衰材４４を嵌装及び位置決めしやすいよう階段状の円柱型構造をなしている。減衰材４４の外周面と本体３の内壁は、これらが相対運動する際に摩擦抵抗を生じるよう接触している。摩擦抵抗を高めるために、前記減衰材４４は、摩擦係数の高い耐摩耗性材料を用いて製造する。
【００３２】
前記減衰材支持ベース４３の中心には、軸方向に延伸するフック４３１が設けられている。前記フック４３１は、減衰材４４とゴムパッド４５に挿通されて前記バネ座４２に係接及び係合する。バネ座４２と減衰材支持ベース４３が係合されると、これらの間の環状領域内に、減衰材とゴムパッド４５が規制されるとともに、緊締及び固定される。フック４３１を設けることで、バネ座４２と減衰材支持ベース４３を容易に組み付け可能となり、減衰材４４に対し固定作用が奏される。このような設置方式によれば、減衰材４４を交換しやすいため、後のメンテナンスが容易となる。
【００３３】
前記減衰材支持ベース４３の中心には貫通孔が設けられており、前記第１懸架ロッド１が前記貫通孔に挿通される。且つ、第１懸架ロッド１のうち本体３内に位置する一端には、径方向に延伸する突起が設けられている。当該突起は、減衰ユニットが第１懸架ロッド１から離脱しないよう防止する位置決め構造を構成する。前記突起は円錐台状をなしており、直径が減衰材支持ベース４３の中心における貫通孔の内径よりも大きくなっている。これにより、当該突起は減衰材支持ベース４３のうちバネ座４２とは反対の側に係合し、第１懸架ロッド１を前記貫通孔内に係合する。
【００３４】
好ましくは、前記フック４３１を複数とし、円形に並ぶよう配置する。前記バネ座４２には、前記フック４３１と係合する貫通孔が設けられている。前記フック４３１はバネ座４２の貫通孔に挿通されて、バネ座４２のうち減衰材支持ベース４３とは反対の側に係合する。前記フック４３１は、着脱が容易となるよう一定の弾性を有する。
【００３５】
前記本体３は、外装管と、外装管３３の両端に固設される第１固定ベース３１及び第２固定ベース３２を含む。前記外装管３３は、上下両端が貫通したストレートパイプである。第１固定ベース３１と第２固定ベース３２は、外装管３３の管口を塞ぐよう、管口に装着されている。また、これに応じて、前記第１固定ベース３１と第２固定ベース３２には、第１懸架ロッド１と第２懸架ロッド２を挿通するための貫通孔が設けられている。第１懸架ロッド１は第１固定ベース３１に対し摺動するよう係合しており、第２懸架ロッド２は第２固定ベース３２に対し相対的に固定される。
【００３６】
前記第１固定ベース３１と第２固定ベース３２は、転圧リベット接合で外装管３３の両端に固定接続される。具体的には、第１固定ベース３１と第２固定ベース３２を外装管３３に装着した後、外装管３３を転圧することで外装管３３の一部を内側に凹陥させて、第１固定ベース３１と第２固定ベース３２の表面に係合させる。そして、第１固定ベース３１と第２固定ベース３２を強く押圧し、しっかりと係合させる。なお、前記転圧は１周としてもよいし、複数周としてもよい。
【００３７】
好ましくは、前記第２懸架ロッド２のうち本体３内に位置する一端に、径方向に延伸する突起が設けられている。当該突起もまた円錐台状をなしており、直径が第２固定ベース３２の貫通孔の内径よりも大きくなっている。前記突起は、第２懸架ロッド２を下方の固定ベースの貫通孔内に係合するよう、第２固定ベース３２のうち外装管３３内に位置する側に係合する。
【００３８】
好ましくは、第２懸架ロッド２の突起と第２固定ベース３２の間にゴムスリーブ９が更に設けられている。前記ゴムスリーブ９は第２懸架ロッド２に覆設される。
【００３９】
他の実施例では、ダンパー全体を上下逆さまにし、第１懸架ロッド１と第２懸架ロッド２の装着位置を入れ替えてもよい。即ち、第１懸架ロッド１の他端を洗濯機の外槽８に組み付け、第２懸架ロッド２の他端を洗濯機の筐体７に組み付ける。
【００４０】
図４は、上記のダンパーが配置された洗濯機を示す。当該洗濯機は、更に、洗濯機の筐体７と洗濯機の外槽８、及び、従来の洗濯機が有するその他の一般構造を含む。
【００４１】
具体的に、前記洗濯機の筐体７には、前記第１懸架ロッド１と係合する装着構造が設けられており、第１懸架ロッド１に接続される。前記洗濯機の外槽８の底部における円周側には、前記第２懸架ロッド２と係合する装着構造が設けられており、第２懸架ロッドに接続される。
【００４２】
好ましくは、前記第１懸架ロッド１及び第２懸架ロッド２における制振ユニットから離間する一端はフック状構造となっており、例えば湾曲させることで形成すればよい。前記洗濯機の筐体７と洗濯機の外槽８には、前記フック状構造と係合する係合孔が設けられている。第１懸架ロッド１のフック状構造は洗濯機の筐体７に掛着され、第２懸架ロッド２のフック状構造は洗濯機の外槽８に掛着される。
【００４３】
他の実施例では、前記第１懸架ロッド１及び第２懸架ロッド２のフック状構造の一端に、懸架ロッドベースがそれぞれ覆設されている。上端に位置して洗濯機の筐体７と係合するベースを上懸架ロッドベース５とし、下端に位置して洗濯機の外槽８と係合するベースを下懸架ロッドベース６とする。前記上懸架ロッドベース５と下懸架ロッドベース６が洗濯機の筐体７と洗濯機の外槽８にそれぞれ装着され、第１懸架ロッド１と第２懸架ロッド２が、懸架ロッドベースを介して洗濯機の筐体７及び洗濯機の外槽８にそれぞれ接続される。
【００４４】
他の実施例では、ダンパーを１８０度反転させて、第１懸架ロッド１のフック状構造を洗濯機の外槽８に掛着し、第２懸架ロッド２のフック状構造を洗濯機の筐体７に掛着する。
【００４５】
以上は本発明の実施形態であるが、当業者であれば、本発明の原理を逸脱しないことを前提に更に様々な変形及び改良が可能であり、それらもまた本発明の保護の範囲とみなされる。
【符号の説明】
【００４６】
１  第１懸架ロッド
２  第２懸架ロッド
３  本体
４  制振部材
５  上懸架ロッドベース
６  下懸架ロッドベース
７  洗濯機の筐体
８  洗濯機の外槽
９  ゴムスリーブ
３１  第１固定ベース
３２  第２固定ベース
３３  外装管
４１  制振バネ
４２  バネ座
４３  減衰材支持ベース
４４  減衰材
４５  ゴムパッド
４３１  フック
【図１】
2020506738.tif 000003
【図２】
2020506738.tif 000004
【図３】
2020506738.tif 000005
【図４】
2020506738.tif 000006
【国際調査報告】
2020506738.tif 000007
2020506738.tif 000008
2020506738.tif 000009
2020506738.tif 000010